(57)【特許請求の範囲】
【請求項１】
振出形式で複数の竿体を連結してなる釣竿であって、
穂先側端部内周面に嵌合雌部を有する大径竿体と、
前記大径竿体の穂先側に振出形式で連結され、前記嵌合雌部に嵌着可能な竿元側端部外周面に形成された第１嵌合雄部及び穂先側の外周面に形成された第２嵌合雄部を有する小径竿体と、
前記小径竿体の前記第１嵌合雄部と前記第２嵌合雄部との間の周面で軸方向に滑動自在に配置されたスライドガイドと、
前記小径竿体の前記第１嵌合雄部と前記第２嵌合雄部との間の所定の軸方向位置に前記スライドガイドを係止するための係止手段とを備え、
前記スライドガイドは、小径竿体が貫通した状態でその周面に位置するパイプ状の固定部を有し、その固定部の内周面には第１磁性体が装着されており、前記小径竿体の前記第１嵌合雄部と前記第２嵌合雄部との間の周面には第２磁性体が配置されており、前記係止手段はこれらの磁性体である、釣竿。
【請求項２】
前記小径竿体は前記第２嵌合雄部の穂先側に隣接する外周面に固定リングをさらに備えている、請求項１に記載の釣竿。
【請求項３】
前記第１磁性体及び第２磁性体はそれぞれ複数であり、周方向に隔てて配置されている、請求項１又は２に記載の釣竿。
【請求項４】
前記小径竿体の前記第１嵌合雄部と前記第２嵌合雄部との間の周面には周方向に隔てて軸方向に伸びる一対のレール溝が設けられており、前記スライドガイドの固定部の内周面には前記一対のレール溝に噛み合う一対の突起が設けられている、請求項３に記載の釣竿。
【発明の詳細な説明】
【０００１】
【発明の属する技術分野】
本発明は、振出形式で連結される複数の竿体を有する釣竿に関する。詳しくは、特定の竿体同士を収納状態及び延伸状態の何れにおいても相互に連結固定可能とし、竿全体の長さを変化させて釣りを行えるように工夫した釣竿に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿は、例えば、穂先側端部内周面に嵌合雌部を有する元竿と、竿元側端部外周面に第１嵌合雄部を有しつつ長手方向中央付近の外周面に第２嵌合雄部を有する元上竿とを備える。
そして、この種の釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることが可能となっている。
【０００４】
こうして、元竿と元上竿とは「延伸状態」，「収納状態」のいずれの状態においても互いに嵌合固定可能であり、状況に応じて竿全体の長さを変化させて釣りを行える。
【０００５】
【発明が解決しようとする課題】
ところで、釣竿の外周面にはリールからの釣糸を案内するための釣糸ガイドが軸方向に間隔を隔てて設けられている。このような釣糸ガイドを適度な軸方向間隔で配置することで、釣糸を円滑に案内しているのである。
しかし、従来の竿全体の長さを変化させて釣りを行えるように工夫した釣竿では、延伸状態と収納状態とに於いて竿体の軸方向長さに変化が生じる為に、釣糸ガイド間の軸方向間隔にも変化が生じる。即ち、延伸状態においては竿体の位置関係が軸方向に伸びることになるため、部分的に延伸させた範囲において釣糸を支持する釣糸ガイドが足りなくなり、釣糸を支持する軸方向間隔が不当に長くなってしまう恐れがある。このように釣糸を支持する軸方向間隔が長くなると、風で釣糸が竿体周面に接触してしまうなど釣糸の円滑な案内に問題が生じ得る。
【０００６】
本発明の課題は、釣竿全体の長さを調整しつつ、円滑な釣り操作を可能とする釣竿を提供することにある。
【０００７】
【課題を解決するための手段】
発明１の釣竿は、振出形式で複数の竿体を連結してなる釣竿であって、穂先側端部内周面に嵌合雌部を有する大径竿体と、大径竿体の穂先側に振出形式で連結され、嵌合雌部に嵌着可能な竿元側端部外周面に形成された第１嵌合雄部及び穂先側の外周面に形成された第２嵌合雄部を有する小径竿体と、小径竿体の第１嵌合雄部と第２嵌合雄部との間の周面で軸方向に滑動自在に配置されたスライドガイドと、小径竿体の第１嵌合雄部と第２嵌合雄部との間の所定の軸方向位置にスライドガイドを係止するための係止手段とを備えている。
【０００８】
この釣竿では、小径竿体を大径竿体の穂先側に引き出した延伸状態においては、小径竿体の第１嵌合雄部を大径竿体の嵌合雌部に嵌合させて固定する。一方、小径竿体を大径竿体内に挿入した収納状態においては、小径竿体の第２嵌合雄部を大径竿体内の嵌合雌部に嵌合させて固定する。このように延伸状態と収納状態との何れにおいても相互に竿体同士を固定可能であり、何れの状態においても釣りを行うことができるようになっている。
【０００９】
この収納状態においては、スライドガイドは大径竿体の穂先側端面に押されて穂先側にスライド移動し、第２嵌合雄部に位置して釣糸を支持して案内する。一方、延伸状態においては、スライドガイドは竿元側にスライド移動し、所定の軸方向位置において係止手段により係止される、そして、この位置で釣糸を支持して案内する。こうして、延伸状態として部分的に延伸させた竿体の軸方向範囲において、スライドガイドが釣糸を支持し、釣糸ガイド同士の軸方向間隔を不当に広くすること無く、釣糸を円滑に案内する。
【００１０】
さらに、スライドガイドは、小径竿体が貫通した状態でその周面に位置するパイプ状の固定部を有し、その固定部の内周面には第１磁性体が装着されている。また、小径竿体の第１嵌合雄部と第２嵌合雄部との間の周面には第２磁性体が配置されている。そして、係止手段はこれらの磁性体である。
【００１１】
この釣竿では、延伸状態において、スライドガイドは竿元側にスライド移動し、その固定部の第１磁性体が小径竿体の第２磁性体に磁着して係止される。なお、第１磁性体及び第２磁性体は双方ともに磁石でもよく、一方が磁石で他方が鉄などの金属であっても良い。
発明２の釣竿は、発明１の釣竿であって、小径竿体は第２嵌合雄部の穂先側に隣接する外周面に固定リングをさらに備えている。この釣竿では、収納状態においては、スライドガイドは第２嵌合雄部に位置して固定リングと大径竿体の穂先側端面との間で挟持されて十分に係止される。
発明３の釣竿は、発明１又は２の釣竿であって、第１磁性体及び第２磁性体はそれぞれ複数であり、周方向に隔てて配置されている。
【００１２】
この釣竿では、第１磁性体及び第２磁性体は周方向に隔てて複数個配置されており、スライドガイドの周方向の不当な回動も十分に抑制される。
発明４の釣竿は、発明３の釣竿であって、小径竿体の第１嵌合雄部と第２嵌合雄部との間の周面には周方向に隔てて軸方向に伸びる一対のレール溝が設けられており、スライドガイドの固定部の内周面には一対のレール溝に噛み合う一対の突起が設けられている。
【００１３】
この釣竿では、スライドガイドはその突起がレール溝に噛み合い、周方向への回転が規制されつつ軸方向にスライド移動する。
【００１４】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に順次振出形式で連結される、元上竿２，第１中竿３，第２中竿４及び穂先竿５とを有している。これら元竿１〜穂先竿５は炭素繊維またはガラス繊維等に合成樹脂を含浸させたプリプレグから形成される先細り筒状部材であって、第１中竿２〜穂先竿５は穂先側から順次竿元側の竿体の内部に挿入され出し入れ自在である。なお、竿体の数は任意に設定するものであり、５本に限定されるものではない。
【００１５】
元竿１は、外周面に形成されリール（図示せず）を脱着自在に装着可能なリールシート６を有し、竿元側端部には尻栓７が脱着自在に装着されている。このリールシート６は別途合成樹脂等で形成されたパイプ状の部材を所定の位置に配置して固定して形成されている。また、元竿１の竿元側端部内周面には雌ねじ部材が配置され、ここに尻栓７が脱着自在に螺合している。さらに、元竿１の穂先側端部内周面は他の部分に比べてやや小径に設定されて嵌合雌部となっている。
【００１６】
図２及び図３に詳しく示すように、元上竿２は元竿１の穂先側に連結された竿体である。そして、元上竿２の竿元側端部外周面は上述の嵌合雌部に嵌着可能な第１嵌合雄部２ａとなっており、軸方向中央付近よりやや穂先側の外周面も部分的に拡径して上述の嵌合雌部に嵌着可能な第２嵌合雄部２ｂとなっている。また、この第２嵌合雄部２ｂの穂先側の周面には金属又は硬質合成樹脂等からなるリング８が固定されている。
【００１７】
このそれぞれの嵌合雄部を元竿１の嵌合雌部と嵌着させて、収納状態と延伸状態とに於いて相互に固定可能となっている。なお、特に図示しないが、元竿１の尻栓７に隣接する元竿１の内部にストッパーリングを配置し、収納状態においてはこのストッパーリングで元上竿２の竿元側端部を固定するようにしてもよい。また、元上竿２の第１嵌合雄部２ａと第２嵌合雄部２ｂとの間の周面、好ましくは第１嵌合雄部２ａに近い竿元側の周面に於いては、周方向に１８０度隔てて一対の磁石９が埋め込まれている。なお、この実施形態では磁石９を元上竿２の周面に埋め込んでいるが、他の部材の移動を阻害しない限り、表面に薄板状の磁石９を貼り付けるような手法を採用することも可能と解する。
【００１８】
一方、元上竿２の第１嵌合雄部２ａと第２嵌合雄部２ｂとの間の周面には、スライドガイド１０が軸方向にスライド移動可能に配置されている。スライドガイド１０は、元上竿２が貫通した状態で元上竿２の外周面に固定されるパイプ状の固定部１１と、固定部１１から起立する本体部１２と、本体部１２の頭端部に竿体の軸方向に向かって開口するようにはめ込まれたセラミックス等の硬質部材からなるガイドリング１３とを有している。
【００１９】
図４に示すように、この固定部１１では、そのパイプ状の内周面に周方向に１８０度変位して一対の磁石１４が配置されている。この固定部１１の内径はおよそ元上竿２の第２嵌合雄部２ｂの外径と一致するように設定する。なお、好ましくは、元上竿２の先細りテーパによる径の変化を利用して、上述の磁石９が埋め込まれた付近の元上竿２の外径と固定部１１の内径とが凡そ合致するように設定するのがよい。なお、元上竿２には、さらに必要に応じて第２嵌合雄部２ｂの穂先側の周面に固定された固定ガイド１５をさらに配置してもよい。
【００２０】
第１中竿３〜穂先竿５はそれぞれ順次元上竿２の穂先側に連結される。各竿体の竿元側端部や穂先側端部外周面は相互に嵌合固定可能な嵌合部分として加工されている。また、各竿体の周面には、それぞれの竿体の穂先側端部外周面に固定ガイドが装着されると共に複数のスライドガイドが配置されている。このスライドガイドは周知のものであり、各竿体周面を軸方向に滑動自在に配置され、所定の軸方向位置において竿体の外径と合致して固定可能となっている。
【００２１】
このような構成の釣竿では、釣りを終えた際には、各スライドガイドを穂先側にスライド移動させた上で、各竿体を順次竿元側の竿体の内部に振出形式で収納してコンパクトな状態になる。一方、釣りを行う際には、順次穂先側の竿体を引き出して相互に竿体を連結し、スライドガイドもスライド移動させて所定の軸方向位置において竿体周面に係止させて位置決めして、一本の釣竿をして用いることになる。
【００２２】
この釣竿では、特に、元竿１と元上竿２とにおいて、元上竿２を元竿１の穂先側に引き出した延伸状態と、元上竿２を元竿１内に挿入した収納状態との双方の状態において相互に竿体を固定可能である。そして、釣竿全体の長さを調整しつつ、釣り状況に応じて釣りを行うことが可能となる。
この元竿１と元上竿２との関係において、収納状態においては、図２に示すように、スライドガイド１０が元竿１に押されて穂先側に移動し、元上竿２の第２嵌合雄部２ｂ上で位置決めされて係止される。即ち、第２嵌合雄部２ｂの周面に固定部１１が嵌着すると共に、リング８と元竿１の穂先側端部とに挟持されて十分に固定される。そして、この位置でリールからの釣糸を支持し案内する。
【００２３】
一方、延伸状態においては、図３に示すように、スライドガイド１０は竿元側にスライド移動可能となり、元上竿２の所定の軸方向位置の磁石９と固定部１１の内周面の磁石１４とが磁着して、軸方向位置が決まりここに係止される（必要に応じて、元上竿２の外径と固定部１１の内径との嵌着も加わる）。そして、この位置でリールからの釣糸を支持し案内することになる。
【００２４】
［第２実施形態］
以下、本発明の第２実施形態を説明する。本発明の第２実施形態を採用した釣竿も、第１実施形態と同様の元竿１及び元上竿２を有している。
この元上竿２を図５に示す。元上竿２は元竿１の穂先側に連結された竿体である。そして、第１実施形態と同様に、元上竿２の竿元側端部外周面は上述の嵌合雌部に嵌着可能な第１嵌合雄部２ａとなっており、軸方向中央付近よりやや穂先側の外周面も部分的に拡径して上述の嵌合雌部に嵌着可能な第２嵌合雄部２ｂとなっている。
【００２５】
さらに、この元上竿２の第１嵌合雄部２ａと第２嵌合雄部２ｂとの間の周面には、周方向に１８０度隔てて一対のレール溝５０が軸方向に伸びている。詳しくは第２嵌合雄部２ｂ上から第１嵌合雄部２ａの穂先側付近にかけてレール溝５０が伸びている。そして、このレール溝５０の竿元側の終端付近の周面には、周方向に１８０度隔てて一対の磁石９が埋め込まれている。この磁石９とレール溝５０との周方向の位置関係は相互に９０度隔てるように設定される。
【００２６】
一方、元上竿２の第１嵌合雄部２ａと第２嵌合雄部２ｂとの間の周面には、第１実施形態と同様に、スライドガイド３０が軸方向にスライド移動可能に配置されている。スライドガイド３０は、元上竿２が貫通した状態で元上竿２の外周面に固定されるパイプ状の固定部３１と、固定部３１から起立する本体部３２と、本体部３２の頭端部に竿体の軸方向に向かって開口するようにはめ込まれたセラミックス等の硬質部材からなるガイドリング３３とを有している。
【００２７】
図６に示すように、この固定部３１はそれ自体が鉄などの金属からなる。そして、その固定部３１のパイプ状の内周面には周方向に１８０度隔てて一対の突起３１ａが径内方向に突出している。この突起３１ａが上述のレール溝５０に噛み合うものである。また、この固定部３１の内径はおよそ元上竿２の第２嵌合雄部２ｂの外径と一致するように設定する。
【００２８】
その他の構成は第１実施形態と同様である。
このような構成の釣竿においても、第１実施形態と同様に、元竿１と元上竿２とにおいては、元上竿２を元竿１の穂先側に引き出した延伸状態と、元上竿２を元竿１内に挿入した収納状態との双方の状態において相互に竿体を固定可能である。そして、釣竿全体の長さを調整しつつ、釣り状況に応じて釣りを行うことが可能となる。
【００２９】
この元竿１と元上竿２との関係において、収納状態においては、第１実施形態と同様に、スライドガイド３０が元竿１に押されて穂先側に移動し、元上竿２の第２嵌合雄部２ｂ上で位置決めされて係止される。即ち、第２嵌合雄部２ｂの周面に固定部３１が嵌着すると共に、リング８と元竿１の穂先側端部とに挟持されて十分に固定される。そして、この位置でリールからの釣糸を支持し案内する。
【００３０】
一方、延伸状態においては、スライドガイド３０はレール溝５０にその突起３１ａを噛み合わせ周方向に回転不能に竿元側にスライド移動する。そして、レール溝５０の竿元側端部に於いて、磁石９と固定部３１とが磁着して、軸方向位置が決まりここに係止される。そして、この位置でリールからの釣糸を支持し案内する。
【００３１】
なお、この際、スライドガイド３０が第２嵌合部２ｂに嵌着されることなく、リング８と元竿１の穂先側端部とに挟持されて軸方向の位置決めが為されるようにしておくことも可能である。この場合、元上竿２の延伸時にスライドガイド３０は元上竿２から軸方向にフリーとなる。ここで、穂先方向を上に向けて元上竿２の延伸作業を行えば、重力で元竿１の穂先側端部付近にスライドガイド３０はフリーに位置する。そして、穂先側に伸びてゆく元上竿２の周面の磁石９がスライドガイド３０の位置まで来ると、スライドガイド３０はこの磁石９に係止されることになる。
【００３２】
［他の実施形態］
（ａ）上記実施形態では、元上竿２上のスライドガイドを１つのみ用いているが、必要に応じて複数のスライドガイドを用いることも可能である。
（ｂ）上記実施形態では、いわゆる外通し竿を示しているが、元上竿２の穂先側において竿体内部に釣糸を導入する中通し竿に応用することも可能である。
（ｃ）係止手段として上記実施形態では磁石を利用しているが、上記実施形態でも述べるように、元上竿２の外径とスライドガイドの固定部の内径との嵌合を用いることも可能である。
【００３３】
【発明の効果】
本発明の釣竿では、釣竿全体の長さを調整しつつ釣糸を円滑に案内可能である。
【図面の簡単な説明】
【図１】本発明の第１実施形態を採用した釣竿の全体図。
【図２】図１の元竿１と元上竿２との収納状態における状態を示した図。
【図３】図１の元竿１と元上竿２との延伸状態における状態を示した図。
【図４】図３におけるスライドガイド１０と元上竿２との軸方向断面図及び径方向断面図。
【図５】本発明の第２実施形態を採用した元上竿２を示した図。
【図６】図５のスライドガイド３０と元上竿２との断面図。
【符号の説明】
１  元竿
２  元上竿
９，１４磁石
１０，２０  スライドガイド
１１，２１  固定部
１２，２２  本体部
１３，２３  ガイドリング
１５  固定ガイド
５０  レール溝
【図１】
0003942012.tif 000002
【図２】
0003942012.tif 000003
【図３】
0003942012.tif 000004
【図４】
0003942012.tif 000005
【図５】
0003942012.tif 000006
【図６】
0003942012.tif 000007